(57)【要約】【課題】  針の保護と、インクカートリッジの排出機構を簡単かつ小型な構成で実施できるインクジェット記録装置のインクカートリッジの保持機構を提供する。【解決手段】  インクカートリッジを収納するホルダー、インクカートリッジと接続する接続針、接続針を保護する保護手段、保護手段をインクカートリッジ挿入口方向に付勢する付勢手段からなり、保護部材がホルダーが空の状態では上記接続針を保護する位置にあり、インクカートリッジ挿入時にインクカートリッジと共に収納位置まで移動するインクカートリッジ保持機構において、前記保護部材がインクカートリッジを排出する。【選択図】  図１
2006051760.tif 000002
【特許請求の範囲】
【請求項１】
インクカートリッジを収納するホルダーと、インクカートリッジと接続する接続針と、接続針を保護する保護部材と、該保護部材をインクカートリッジ挿入口方向に付勢する付勢手段とを含み、前記ホルダーが空の状態では前記保護部材が前記接続針を保護する位置にあり、インクカートリッジ挿入時にインクカートリッジと共に収納位置まで移動するインクカートリッジ保持機構であって、前記保護部材がインクカートリッジを排出することを特徴とするインクカートリッジ保持機構。
【請求項２】
前記保護部材が前記付勢手段の付勢力でインクカートリッジを排出することを特徴とする請求項１記載のインクカートリッジ保持機構。
【請求項３】
インクカートリッジ保持機構において、前記保護部材が前記収納位置から保護位置に移動するストロークでインクカートリッジを排出することを特徴とする請求項１記載のインクカートリッジ保持機構。
【請求項４】
インクカートリッジが空の状態では前記保護部材を上記接続針を保護する位置に係止し、インクカートリッジを挿入することにより係止を解除する第一の係止部材を持つことを特徴とする請求項１のインクカートリッジ保持機構。
【発明の詳細な説明】
【技術分野】
【０００１】
本発明はインクジェット記録装置のインクカートリッジ保持機構に関する。
【背景技術】
【０００２】
従来、インクジェット記録装置のインクカートリッジ保持機構においては、インク供給針にバネ付勢された針を保護する可動式のカバーを設け、インクカートリッジが挿入されるとカバーはインクカートリッジに押され退避し、インクカートリッジが除去されるとカバーはバネにより針を覆うものが開示されている（例えば特許文献１参照）。
【０００３】
従来、インクジェット記録装置においては、キャリッジからインクカートリッジを排出するために、キャリッジの蓋と連動するリフターを設け、蓋を開けることによりリフターでインクカートリッジを排出する排出機構の構成が開示されている。（例えば特許文献２参照）
【特許文献１】特開平１０−１２８９９２号公報
【特許文献２】特登録０２９７６９３４号公報
【発明の開示】
【発明が解決しようとする課題】
【０００４】
しかしながら、上記従来例において針の保護とインクカートリッジの排出を両立させようとすると、各々の機構をそれぞれ持つ必要があり、構造が複雑になり、小型化の妨げになるという課題があった。
【０００５】
そこで、本発明は上記課題に鑑みなされたものであり、その目的とするところは、針の保護と、インクカートリッジの排出機構を簡単かつ小型な構成で実施できるインクジェット記録装置のインクカートリッジの保持機構を提供することである。
【課題を解決するための手段】
【０００６】
上記目的を達成するために本発明は、インクカートリッジを収納するホルダーと、インクカートリッジと接続する接続針と、接続針を保護する保護部材と、該保護手段を前記インクカートリッジの挿入口方向に付勢する付勢手段とを含み、ホルダーが空の状態では前記保護部材が前記接続針を保護する位置にあり、インクカートリッジ挿入時にインクカートリッジと共に収納位置まで移動するインクカートリッジ保持機構であって、前記保護部材がインクカートリッジを排出することを特徴とするものである。
【０００７】
また本発明は、前記保護部材が前記付勢手段の付勢力でインクカートリッジを排出することを特徴とするものである。
【０００８】
また本発明は、前記保護部材が前記収納位置から保護位置に移動するストロークでインクカートリッジを排出することを特徴とする。
【０００９】
また本発明は、インクカートリッジが空の状態では前記保護部材を上記接続針を保護する位置に係止し、インクカートリッジを挿入することにより係止を解除する第一の係止部材を持つことを特徴とするものである。
【発明の効果】
【００１０】
本発明によれば、インクカートリッジを収納するホルダー、インクカートリッジと接続する接続針、接続針を保護する保護手段、保護手段をインクカートリッジ挿入口方向に付勢する付勢手段からなり、保護部材がホルダーが空の状態では上記接続針を保護する位置にあり、インクカートリッジ挿入時にインクカートリッジと共に収納位置まで移動するインクカートリッジ保持機構において、前記保護部材がインクカートリッジを排出することにより接続針の保護とインクカートリッジの排出機構を簡単かつ小型な構成で実施できる効果がある。
【００１１】
また本発明は、前記保護部材が前記付勢手段の付勢力でインクカートリッジを排出することにより、インクカートリッジの排出機構を簡単かつ小型な構成で実施できる効果がある。
【００１２】
また本発明は、前記保護部材が前記収納位置から保護位置に移動するストロークでインクカートリッジを排出することにより、インクカートリッジの排出機構を簡単かつ小型な構成で実施できる効果がある。
【００１３】
また本発明は、インクカートリッジが空の状態では前記保護部材を上記接続針を保護する位置に係止し、インクカートリッジを挿入することにより係止を解除する第一の係止部材を持つことにより、接続針の保護を簡単かつ小型な構成で実施できる効果がある。
【発明を実施するための最良の形態】
【００１４】
以下、本発明の実施の形態について図面を参照して説明する。
（第１の実施の形態）
本発明のインクジェット記録装置の第1の実施の形態について説明する。
【００１５】
図１において、１はインクカートリッジを収納するホルダー、２は接続針である廃インク排出針で廃インクをインクカートリッジ１００内の廃インク吸収体に排出する、３は廃インク排出針２を保護する保護部材、４は保護部材３を図中右方向に付勢する付勢手段である第１のバネ、５は保護部材３を係止する第１の係止部材、６はインクカートリッジ１００を係止する第２の係止部材、７は第２の係止部材を軸支する第１の軸、８は第２の係止部材をスラスト、回転の両方向に付勢する第２のバネ、９は第２の係止部材２を解除する解除手段である解除レバー、１０は解除レバ９ーを押すつまみ、１１はつまみ９を軸支する第２の軸、１２はつまみを付勢する第３のバネ。
【００１６】
解除レバー９は２個所の溝９−A、９−Bがそれぞれホルダー１のT字状の支持部１−C、１−Dに支持され図中左右に移動できる。
【００１７】
また解除レバー９の一端にはつまみ１０が解除レバー９に固定された第２の軸１１により回転自在に軸支されている。
【００１８】
第３のバネ１２はつまみ１０にかけられており、つまみ１０を図中時計方向に回転するよう付勢するとともに、解除レバー９を右方向に付勢する。
【００１９】
１３はインクカートリッジ１００をホルダー１におしつけるインクカートリッジ押圧バネ、１４、１５はインクカートリッジ１００をホルダー１に位置決めする位置決めピンでインクカートリッジ１００の不図示の位置決め溝と係合し、１６，１７はホルダー１を不図示の筐体に軸支する第３の軸、１８は不図示の駆動装置と係合する駆動ピン、２０は廃インク排出針２を保持する廃インク針ホルダー、１００はインクカートリッジである。
【００２０】
図２はホルダーが空で保護部材３が第１の係止部材５により保護位置に係止されている状態の説明図であり、ホルダー１の内部を開口部から見た斜視図である。
【００２１】
廃インク排出針２は廃インク針ホルダー２０に保持され、廃インクホルダー２０はホルダー１に固定されている。
【００２２】
保護部材３は保護位置にあり、ホルダー１の開口部から指等が入り廃インク排出針２に触れ廃インク排出針２を壊したり、指をケガしたりすることを防いでいる。
【００２３】
図３はホルダーが空で保護部材３が第１の係止部材により保護位置に係止されている状態の保護部材３と第１の係止部材５の関係を示す側面図である。
【００２４】
図において保護部材３はピン部３−Aとガイド部３−Bがホルダー１の溝部１−Aに入り図中左右に移動できる構成になっている。
【００２５】
保護部材３のガイド部３−Bにはバネ掛けが設けられ、第1のバネ４が掛けられており図中右方向に付勢されるが、保護部材３のピン部３−Aが、第１の係止部材５のストッパー部５−Aに当接し、係止位置に保持される。
【００２６】
また、保持部材３のピン部３−Aが係止部材の係止部５−Bにより係止され、保持部材３が指等により押され図中左方向に移動することを防いでいる。
【００２７】
図４はインクカートリッジ１００をホルダー１に挿入し、係止部材５の係止が解除された状態の図であり、第５図はさらにインクカートリッジ１００をホルダー１に挿入した状態の図である。
【００２８】
インクカートリッジ１００は図中右から左に挿入される。
【００２９】
図４において、係止部材５の凸部５−Cがインクカートリッジ１００に当接し、図中上方に移動し、それに伴い係止部５−Bも上方に移動し保護部材３のピン部３−Aの係止が解除される。
【００３０】
以上説明したように、保護部材３の係止と解除を第１の係止部材１部品で行なっており、接続針の保護を簡単かつ小型な構成で実現できる。
【００３１】
図５において、説明のためにホルダー１は切り欠いてある。
【００３２】
インクカートリッジ１００が保護部材５のガード部３−Cに当接し保護部材５はインクカートリッジ１００と共に図中左に移動する。
【００３３】
図６はインクカートリッジ１００が第２の係止部材７に当接した状態を示す。
【００３４】
図において、インクカートリッジ１００が第２の係止部材６の斜面６−Aに当接し第２の係止部材６を矢印の方向に回転させる。
【００３５】
図７はインクカートリッジの装填状態で、第２の係止部材６がインクカートリッジを係止する状態を示す図である。
【００３６】
図において、第２の係止部材６のロック部６−Bがインクカートリッジ100のロック溝１００−Aの位置に達すると、第２の係止部材６は第２のバネ８により矢印の方向に回転し、ロック部６−Bがロック溝１００−Aに入り第２の係止部材６がインクカートリッジ１００を係止する。
【００３７】
第２のバネ８が第２の係止部材６を左方向に押す力は第１のバネ４が保護部材３を介してインクカートリッジ１００を右方向に動かす力より大きく設定されているので、第２の係止部材６はホルダー１のストッパー部１−B部に当接する位置に保持される。
【００３８】
インクカートリッジ１００の左右方向は保護部材３を介して第１のバネにより右方向の力を受けインクカートリッジのロック溝１００−Aの左側端面が第２の係止部材６のロック部６−Bに当接する位置に保持される。
【００３９】
またインクカートリッジ１００の上下方向及び奥行き方向は、位置決めピン１４，１５及びインクカートリッジ押圧バネ１３により位置決めされる。
【００４０】
上記構成のため、インクカートリッジ１００は第２の係止部材６と保護部材３により図の位置にガタ無く保持される。
【００４１】
さらに、不図示のキヤリッジのインク供給針とインクスティック１００が結合する際に両者の位置ずれによりインクカートリッジ１００が右に動かされる場合は第２の係止部材が第２のバネに抗して移動することによりインクカートリッジ１００が右に移動することを許容し、またインクカートリッジが左に動かされる場合は保護部材３が第１のバネ４に抗して左に移動することによりインクカートリッジ１００が左に移動することを許容する。
【００４２】
そして、不図示のキヤリッジのインク供給針とインクスティック１００の結合が解除されると、再び図７の位置に復帰する。
【００４３】
図８は廃インク排出針２とインクカートリッジ１００の廃インク吸収体１００−Bの関係を示す図である。
【００４４】
図７のインクカートリッジ挿入状態において、廃インク排出針２は廃インク吸収体１００−Bに差し込まれ、不図示の廃インク排出装置から排出された廃インクを廃インク排出針２を通り廃インク吸収体１００−Bに排出される。
【００４５】
図９、図１０、図１１、図１２はインクカートリッジの排出を説明する図である。
【００４６】
図９において、つまみ１０が押され解除レバー９は左に移動すると解除レバー９のカム部９−Cが第２の係止部材６の上部に当接し第２の係止部材６を矢印の方向に回転させる。
【００４７】
図１０において、第２の係止部材６が回転し、ロック部６−Bがインクカートリッジ100のロック溝１００−Aからはずれ、インクカートリッジ１００の係止が解除される。
【００４８】
図１１において、保護部材３は第１のバネ４の付勢力により右方向に移動し、収納位置から保護位置に移動するストロークでインクカートリッジ１００をホルダー１から排出する。
【００４９】
以上説明したように、第１のバネ４の付勢力によりインクカートリッジを排出するので、インクカートリッジ排出用の付勢部材を設けなくて良いので、インクカートリッジの排出機構を簡単かつ小型な構成で実現している。
【００５０】
また保護部材が収納位置から保護位置に移動するストロークでインクカートリッジを排出しているので、インクカートリッジ排出用の部材を設けなくて良いので、インクカートリッジの排出機構を簡単かつ小型な構成で実現している。
【００５１】
図１２において、保護部材３は右方向に移動し、保護部材３のピン部３−Aが第１の係止部材５のカム部５−Cに当接し第１の係止部材５の係止部５−Bは上方に逃げる。
【００５２】
さらに保護部材３が右に移動すると保護部材３のピン部３−Aが第１の係止部材６のストッパー部５−Aに当接し、第１の係止部材の係止部が初期状態に復帰し、保護部材３が第１の係止部材により保護位置に係止されている図２及び図３の状態になる。
【００５３】
つまみ１０を押すのを止めると解除レバー９は第３のバネ３により右方向に移動し初期位置に復帰する。
【図面の簡単な説明】
【００５４】
【図１】本発明のインクカートリッジ保持機構の説明図
【図２】ホルダーが空で保護部材３が第１の係止部材５により保護位置に係止されている状態の説明図
【図３】ホルダーが空で保護部材３が第１の係止部材により保護位置に係止されている状態の保護部材３と第１の係止部材５の関係を示す側面図
【図４】インクカートリッジ１００をホルダー１に挿入し、係止部材５の係止が解除された状態の図
【図５】インクカートリッジ１００をホルダー１に挿入した状態の図
【図６】インクカートリッジ１００が第２の係止部材７に当接した状態を示す図
【図７】第２の係止部材７がインクカートリッジを係止する状態を示す図
【図８】廃インク排出針とインクカートリッジの廃インク吸収体の関係を示す図
【図９】インクカートリッジの排出を説明する図
【図１０】インクカートリッジの排出を説明する図
【図１１】インクカートリッジの排出を説明する図
【図１２】インクカートリッジの排出を説明する図
【符号の説明】
【００５５】
１  ホルダー
２  廃インク排出針
３  保護部材
４  第１のバネ
５  第１の係止部材
６  第２の係止部材
７  第１の軸
８  第２のバネ
９  解除レバー
１０  つまみ
１１  第２の軸
１２  第３のバネ
１３  インクカートリッジ押圧バネ
１４  位置決めピン
１５  位置決めピン
１６  第３の軸
１７  第３の軸
１８  駆動ピン
１９  駆動ピン
２０  廃インク針ホルダー
１００  インクカートリッッジ
【図１】
2006051760.tif 000003
【図２】
2006051760.tif 000004
【図３】
2006051760.tif 000005
【図４】
2006051760.tif 000006
【図５】
2006051760.tif 000007
【図６】
2006051760.tif 000008
【図７】
2006051760.tif 000009
【図８】
2006051760.tif 000010
【図９】
2006051760.tif 000011
【図１０】
2006051760.tif 000012
【図１１】
2006051760.tif 000013
【図１２】
2006051760.tif 000014